(57)【要約】【課題】安全性および使用性に優れた電気掃除機を提供する。【解決手段】塵埃を吸引するためのファンモーターと、塵埃を吸引する吸込み具に連通し、塵埃を捕集するための集塵室と、前記ファンモーターの動作を制御するための本体スイッチ４と、前記本体スイッチ４を動作させるための可動式のスイッチペダル５とを内蔵した本体１と、前記本体１略上方に設けられた、前記本体１を持ち運ぶためのハンドル部８と、前記スイッチペダル５に設けられ前記ハンドル部８略下部に突出する可動可能なスイッチレバー部９とを備え、前記本体１を持ち運ぶために前記ハンドル部８を握った際、前記スイッチレバー部９も握る構成とした。これにより、前記本体持ち運び時にスイッチレバー部９も握ることになり、スイッチペダル５の動作が抑制され、動作できなくなることから、運搬時の安全性を向上した電気掃除機を提供することができる。【選択図】図３
2007006918.tif 000002
【特許請求の範囲】
【請求項１】
塵埃を吸引するためのファンモーターと、塵埃を吸引する吸込み具に連通し、塵埃を捕集するための集塵室と、前記ファンモーターの動作を制御するための本体スイッチと、前記本体スイッチを動作させるための可動式のスイッチペダルとを内蔵した本体と、前記本体略上方に設けられた、前記本体を持ち運ぶためのハンドル部と、前記スイッチペダルに設けられ前記ハンドル部略下部に突出する可動可能なスイッチレバー部とを備え、前記本体を持ち運ぶために前記ハンドル部を握った際、前記スイッチレバー部も握る構成とした電気掃除機。
【請求項２】
塵埃を吸引するためのファンモーターと、塵埃を吸引する吸込み具に連通し、塵埃を捕集するための集塵室と、電源コードを巻取り収納するためのコードリールと、前記コードリールの動作を制御するための可動式のコードペダルとを内蔵した本体と、前記本体略上方に設けられた、前記本体を持ち運ぶためのハンドル部と、前記コードペダルに設けられ前記ハンドル部略下部に突出する可動可能なコードレバー部とを備え、前記本体を持ち運ぶために前記ハンドル部を握った際、前記コードレバー部も握る構成とした電気掃除機。
【請求項３】
ペダルまたはハンドル部または本体に、レバーの動作を抑制する、可動可能なストッパーを形成した請求項１または２記載の電気掃除機。
【請求項４】
ハンドル部の略中央部に、スイッチレバー部またはコードレバー部の動作を抑制する、可動可能なストッパーを形成した請求項１または２記載の電気掃除機。
【発明の詳細な説明】
【技術分野】
【０００１】
本発明は一般家庭で使用される電気掃除機に関するもので、特に安全性および使用性に関するものである。
【背景技術】
【０００２】
従来の電気掃除機を、図１１を用いて説明する。
【０００３】
図１１に示す電気掃除機は、塵埃を吸引するためのファンモーター（図示せず）と、塵埃を吸引する吸込み具に連通し、塵埃を捕集するための集塵室（図示せず）と、前記ファンモーターの動作を制御するための本体スイッチ１８と、電源コードを巻取り収納するためのコードリール（図示せず）と、前記コードリールの動作を制御するための可動式のコードペダル２０を内蔵した本体２１から構成されており、前記本体２１を持ち運ぶためのハンドル部２２を前記本体２１略上部に設けている（例えば、特許文献１参照）。
【特許文献１】特開平８−１６８４５７号公報
【発明の開示】
【発明が解決しようとする課題】
【０００４】
しかしながら上記従来の電気掃除機の構成では、前記ハンドル部２２を持って、前記本体２１持ち運ぶ時に前記本体スイッチ１８を触ってしまい突然前記本体２１が動作し、起動時の回転力により前記ハンドル部２２を持っている手にひねり力が加わり、手を痛める危険性があった。また持ち運び時に、前記コードペダル２０を押してしまうことにより、意図せずコードが巻き取られてしまい、コード先端の金属部分が手等に当たり、怪我をする危険性があった。
【０００５】
本発明は上記課題を解決するもので、低コストで、安全性および使用性に優れた電気掃除機を提供することを目的としている。
【課題を解決するための手段】
【０００６】
上記課題を解決するために本発明は、塵埃を吸引するためのファンモーターと、塵埃を吸引する吸込み具に連通し、塵埃を捕集するための集塵室と、前記ファンモーターの動作を制御するための本体スイッチと、前記本体スイッチを動作させるための可動式のスイッチペダルとを内蔵した本体と、前記本体略上方に設けられた、前記本体を持ち運ぶためのハンドル部と、前記スイッチペダルに設けられ前記ハンドル部略下部に突出する可動可能なスイッチレバー部とを備え、前記本体を持ち運ぶために前記ハンドル部を握った際、前記スイッチレバー部も握る構成とした。これにより、前記本体持ち運び時に前記ハンドル部を握ることにより、前記ハンドル部下部に突出した前記スイッチレバー部も同時に握ることになるため、前記スイッチペダルの動作が抑制される。すなわち、前記本体を持ち運ぶ際には前記スイッチペダルは動作できなくなることから、運搬時の安全性を向上させることができる。
【発明の効果】
【０００７】
本発明は、安全性および使用性に優れた電気掃除機を提供することができる。
【発明を実施するための最良の形態】
【０００８】
第１の発明は、塵埃を吸引するためのファンモーターと、塵埃を吸引する吸込み具に連通し、塵埃を捕集するための集塵室と、前記ファンモーターの動作を制御するための本体スイッチと、前記本体スイッチを動作させるための可動式のスイッチペダルとを内蔵した本体と、前記本体略上方に設けられた、前記本体を持ち運ぶためのハンドル部と、前記スイッチペダルに設けられ前記ハンドル部略下部に突出する可動可能なスイッチレバー部とを備え、前記本体を持ち運ぶために前記ハンドル部を握った際、前記スイッチレバー部も握る構成とした。これにより、前記本体持ち運び時に前記ハンドル部を握ることにより、前記ハンドル部下部に突出した前記スイッチレバー部も同時に握ることになり、前記スイッチペダルの動作が抑制される。すなわち、前記本体を持ち運ぶ際には前記スイッチペダルは動作できなくなることから、前記本体持ち運び時に前記スイッチペダルを触ってしまい突然前記本体が動作し、起動時の回転力により前記ハンドル部を持っている手にひねり力が加わることにより手を痛める危険性を防止でき、運搬時の安全性を向上させた電気掃除機を提供することができる。
【０００９】
第２の発明は、塵埃を吸引するためのファンモーターと、塵埃を吸引する吸込み具に連通し、塵埃を捕集するための集塵室と、電源コードを巻取り収納するためのコードリールと、前記コードリールの動作を制御するための可動式のコードペダルとを内蔵した本体と、前記本体略上方に設けられた、前記本体を持ち運ぶためのハンドル部と、前記コードペダルに設けられ前記ハンドル部略下部に突出する可動可能なコードレバー部とを備え、前記本体を持ち運ぶために前記ハンドル部を握った際、前記コードレバー部も握る構成とした。これにより、前記本体持ち運び時に前記ハンドル部を握ることにより、前記ハンドル部下部に突出した前記コードレバー部も同時に握ることになるため、前記コードペダルの動作が抑制される。すなわち、前記本体を持ち運ぶ際には前記コードペダルは動作できなくなることから、持ち運び時に前記コードペダルを押してしまうことにより、意図せずコードが巻き取られてしまい、コード先端の金属部分が手等に当たることにより怪我をする危険性を防止でき、運搬時の安全性を向上させた電気掃除機を提供することができる。
【００１０】
第３の発明は、ペダルまたはハンドル部または本体に、レバーの動作を抑制させる可動可能なストッパーを形成させた構成のため、子供が前記スイッチペダルを誤って押した際に突然前記本体が動作するといった危険性を防止できる安全性に優れた電気掃除機を提供することができる。
【００１１】
第４の発明は、ハンドル部の略中央部に、スイッチレバー部またはコードレバー部の動作を抑制する、可動可能なストッパーを形成したことにより、子供が誤って前記ハンドル部を持ち上げようとした際に、前記ストッパーが邪魔をして前記ハンドル部を持つことを防止でき、安全性に優れた電気掃除機を提供することができる。
【００１２】
以下、本発明の実施の形態について、図面を参照しながら説明する。なお、本実施の形態によって本発明が限定されるものではない。
【００１３】
（実施の形態１）
本発明の第１の実施の形態について図１〜図４を用いて説明する。
【００１４】
図１〜図４において本体１は塵埃を吸引するためのファンモーター２と、塵埃を吸引する吸込み具に連通し、塵埃を捕集するための集塵室３と、前記ファンモーター２の動作を制御するための本体スイッチ４と前記本体スイッチ４を動作させるための可動式のスイッチペダル５と、電源コードを巻取り収納するためのコードリール６と、前記コードリール６の動作を制御するための可動式のコードペダル７を内蔵しており、前記本体１を持ち運ぶためのハンドル部８を前記本体１略上部に備えている。
【００１５】
また、前記スイッチペダル５に前記ハンドル部８略下部に突出させた可動可能なスイッチレバー部９および前記コードペダル７に前記ハンドル部８略下部に突出させた可動可能なコードレバー部１０を設けている。
【００１６】
以上のように構成された電気掃除機について図１〜図４を用いてその動作、作用を説明する。
【００１７】
前記本体１持ち運び時に前記ハンドル部８を握ると、前記ハンドル部８下部に突出した前記スイッチレバー部９も同時に握ることになる。そうすると、前記スイッチペダル５が動作できなくなる。すなわち、前記本体１を持ち運ぶ際には前記スイッチペダル５は動作できなくなることから、前記本体１持ち運び時に前記スイッチペダル５を触ってしまい突然前記本体１が動作し、起動時の回転力により前記ハンドル部８を持っている手にひねり力が加わることにより手を痛める危険性を防止できる。
【００１８】
また、前記本体１持ち運び時に前記ハンドル部８を握ることにより、前記ハンドル部８下部に突出した前記コードレバー部１０も同時に握ることになるため、前記コードペダル７の動作が抑制される。すなわち、前記本体１を持ち運ぶ際には前記コードペダル７は動作できなくなることから、持ち運び時に前記コードペダル７を押してしまうことにより、意図せずコードが巻き取られてしまい、コード先端の金属刃が手等に当たることにより怪我をする危険性を防止できる。
【００１９】
以上のように本実施の形態においては、前記本体１を持ち運ぶ際に前記本体スイッチ４や前記コードリール６を動作させることなく安全性に優れた電気掃除機を提供することができる。
【００２０】
（実施の形態２）
本発明の第２の実施の形態について図５〜図１０を用いて説明する。
【００２１】
図５〜図１０において本体１は塵埃を吸引するためのファンモーター２と、塵埃を吸引する吸込み具に連通し、塵埃を捕集するための集塵室３と、前記ファンモーター２の動作を制御するための本体スイッチ４と、電源コードを巻取り収納するためのコードリール６と、前記本体スイッチ４を動作させるための可動式のスイッチペダル部１１と前記コードリール６の動作を制御するための可動式のコードペダル部１２を備えて一体形成したペダル１３を内蔵しており、前記本体１を持ち運ぶためのハンドル部８を前記本体１略上部に備えている。
【００２２】
また、図７、８において前記ペダル１３の下面には軟質部１４を施している。
【００２３】
また、図９、１０において前記ハンドル部８の略中央部の前記本体１上には、可動式のストッパー１５を備えている。この前記ストッパー１５は表面に突出させることにより前記ペダル１３に近接させるようにしている。
【００２４】
以上のように構成された電気掃除機について図５〜図１０を用いてその動作、作用を説明する。
【００２５】
前記本体１持ち運び時に前記ハンドル部８を握ると、前記ハンドル部８下部に位置する前記ペダル１３も同時に握ることになる。そうすると、前記スイッチペダル部１１と前記コードペダル部１２が同時に動作できなくなる。すなわち、前記本体１持ち運び時に前記スイッチペダル部１１を触ってしまい突然前記本体１が動作し、起動時の回転力により前記ハンドル部８を持っている手にひねり力が加わることにより手を痛める危険性を防止できる。
【００２６】
あわせて、前記本体１持ち運び時に前記コードペダル部１２を押してしまうことにより、意図せずコードが巻き取られてしまい、コード先端の金属刃が手等に当たることにより怪我をする危険性を防止できる。
【００２７】
また、前記ブレーキペダル部１１と前記コードペダル部１２を一体化できるのでコスト削減にもつなげることができる。
【００２８】
図７、８に示すように、前記ペダル１３の下面表面を軟質部１４で形成したことにより、前記ハンドル部８を持った際の手への負担を抑えることができる。
【００２９】
また、前記ペダル１３の表面に滑り止めの加工を施すことにより、前記ペダル１３を足で操作した際にも滑ることなく確実に操作させることができるとともに、前記ペダル１３下面の表面にも同様の加工を施すことにより、前記ハンドル部８を持った際の滑り止めにもなるため、安全性の向上を図ることができる。
【００３０】
図９、１０に示すように、前記本体１に前記ペダル１３の動作を抑制させる可動可能のストッパー１５を形成させることにより、あらかじめ前記ストッパー１５を突出させておけば、万が一子供が前記ペダル１３を誤って押した際にも前記ストッパー１５により前記ペダル１３の動作が抑制されているため、突然前記本体１が動作するといった危険性を防止できると。また、前記ストッパー１５を前記ハンドル部８の略中央部に設けたことにより、子供が前記ハンドル部８を持ち上げようとした際に、前記ストッパー１５が前記ハンドル部８の下の空間に手が入ることを邪魔することにより、前記ハンドル部８を持つことを防止できる。
【００３１】
以上のように本実施の形態においては、前記本体１を持ち運ぶ際に前記ペダル１３を動作させることなく安全性、使用性そして原価面で優れた電気掃除機を提供することができる。
【産業上の利用可能性】
【００３２】
以上のように、本発明にかかる電気掃除機は、使用性、安全性に優れ、さらにコスト低減も図ることのできる極めて有用なものである。
【図面の簡単な説明】
【００３３】
【図１】本発明の実施の形態１を示す電気掃除機の平面図
【図２】同電気掃除機の要部断面図
【図３】同電気掃除機の要部断面図
【図４】同電気掃除機の要部断面図
【図５】本発明の実施の形態２を示す電気掃除機の要部断面図
【図６】同電気掃除機の要部断面図
【図７】同電気掃除機の要部断面図
【図８】同電気掃除機の要部断面図
【図９】同電気掃除機の要部断面図
【図１０】同電気掃除機の要部断面図
【図１１】従来の電気掃除機の斜視図
【符号の説明】
【００３４】
１  本体
２  ファンモーター
３  集塵室
４  本体スイッチ
５  スイッチペダル
８  ハンドル部
９  スイッチレバー部
【図１】
2007006918.tif 000003
【図２】
2007006918.tif 000004
【図３】
2007006918.tif 000005
【図４】
2007006918.tif 000006
【図５】
2007006918.tif 000007
【図６】
2007006918.tif 000008
【図７】
2007006918.tif 000009
【図８】
2007006918.tif 000010
【図９】
2007006918.tif 000011
【図１０】
2007006918.tif 000012
【図１１】
2007006918.tif 000013